(57)【要約】【課題】無線端末の消費電力を低減し、無線リソースの浪費を回避することができる無線通信システムを得ること。【解決手段】アンカーキャリアで間欠受信する無線端末と、無線端末に周波数帯域を割り当て、間欠受信パラメータを通知する基地局と、で構成される無線通信システムであって、基地局は、無線端末宛のデータのスケジューリング情報を生成する制御部１３と、間欠受信パラメータに基づいてスケジューリング情報を送信する間欠送信制御部１５と、を備え、制御部１３は、スケジューリング情報の送信以降にアンカーキャリア以外の周波数帯域でデータを送信し、無線端末は、間欠受信中はアンカーキャリア以外の周波数帯域の受信処理を休止し、アンカーキャリアで自端末のスケジューリング情報を受信すると、間欠受信を常時受信に切り替え、アンカーキャリア以外の周波数帯域の受信処理を起動する間欠受信制御部、を備える。【選択図】図３
2011061500.tif 000002
【特許請求の範囲】
【請求項１】
使用可能な複数の周波数帯域である使用帯域群のうち１つの周波数帯域をアンカーキャリアとし、前記アンカーキャリアで、所定の時間間隔ごとの一定期間の受信である間欠受信を行なう無線端末と、自装置に接続する前記無線端末に対して周波数帯域を割り当て、また前記間欠受信を開始する開始タイミングと前記所定の時間間隔と前記一定期間とを間欠受信パラメータとして前記無線端末に通知する基地局と、で構成される無線通信システムであって、
前記基地局は、
前記無線端末宛のユーザデータがある場合に、そのユーザデータを送信するための周波数帯域を前記使用帯域群のうちから割り当て、その無線端末の識別子を含む割り当て結果をスケジューリング情報として生成する基地局側制御手段と、
前記スケジューリング情報に対応する無線端末の前記所定の時間間隔および前記一定期間に基づいて、前記スケジューリング情報を前記アンカーキャリアで前記無線端末へ送信する間欠送信制御手段と、
を備え、
前記基地局側制御手段は、前記スケジューリング情報の送信タイミング以降に前記使用帯域群のうち前記アンカーキャリア以外の周波数帯域でそのスケジューリング情報に対応するユーザデータをそのユーザデータの宛先の前記無線端末へ送信し、
前記無線端末は、
前記間欠受信パラメータに基づいて前記開始タイミングに前記間欠受信へ移行するとともに前記アンカーキャリア以外の周波数帯域の受信処理を休止し、前記アンカーキャリアで送信される信号に自端末の識別子に対応するスケジューリング情報が含まれる場合に、前記アンカーキャリアでの受信を前記間欠受信から常時受信に切り替えるとともに前記アンカーキャリア以外の前記使用帯域群の周波数帯域の受信処理を起動する間欠受信制御手段、
を備える、
ことを特徴とする無線通信システム。
【請求項２】
前記基地局側制御手段は、サブフレーム単位で、周波数帯域ごとに、前記ユーザデータを割り当て、割り当て結果に基づいて宛先の前記無線端末へそのユーザデータを送信することとし、前記スケジューリング情報を送信したサブフレームの次のサブフレーム以降で前記使用帯域群のうち前記アンカーキャリア以外の周波数帯域でそのスケジューリング情報に対応するユーザデータを送信する、
ことを特徴とする請求項１に記載の無線通信システム。
【請求項３】
前記基地局側制御手段は、サブフレーム単位で、周波数帯域ごとに、前記ユーザデータを割り当て、割り当て結果に基づいて宛先の前記無線端末へそのユーザデータを送信することとし、さらに前記スケジューリング情報を送信したサブフレームで前記使用帯域群のうち前記アンカーキャリア以外の周波数帯域でそのスケジューリング情報に対応するユーザデータを送信する、
ことを特徴とする請求項２に記載の無線通信システム。
【請求項４】
前記基地局側制御手段は、前記無線端末へその端末の前記使用帯域群のうち、ユーザデータを送信する周波数帯域を選択周波数帯域として選択して前記無線端末へ通知し、前記選択周波数帯域を用いて前記無線端末へユーザデータを送信し、
前記間欠受信制御手段は、前記アンカーキャリアで送信される信号に自端末の識別子に対応するスケジューリング情報が含まれる場合に、前記アンカーキャリア以外の前記選択周波数帯域の周波数帯域の受信処理を起動する、
ことを特徴とする請求項１、２または３に記載の無線通信システム。
【請求項５】
前記基地局側制御手段は、前記無線端末宛のユーザデータの送信が完了するまで所定の周期でそのユーザデータに対応するスケジュール情報を送信し、そのユーザデータの送信が完了するとそのユーザデータに対応するスケジュール情報の送信を停止する、
ことを特徴とする請求項１〜４のいずれか１つに記載の無線通信システム。
【請求項６】
前記間欠受信制御手段は、常時受信の状態で、前記所定の周期ごとに、前記アンカーキャリアで送信される信号に自端末の識別子に対応するスケジューリング情報が含まれるか否かを確認し、前記アンカーキャリアで送信された信号に自端末の識別子に対応するスケジューリング情報が含まれない場合に、前記間欠受信へ移行するとともに前記アンカーキャリア以外の前記使用帯域群の周波数帯域の受信処理を休止する、
ことを特徴とする請求項５に記載の無線通信システム。
【請求項７】
前記基地局側制御手段は、ユーザデータの送信中に、そのユーザデータを送信する周波数帯域ごとに、そのユーザデータに対応するスケジューリング情報を送信する、
ことを特徴とする請求項１〜６のいずれか１つに記載の無線通信システム。
【請求項８】
前記基地局側制御手段は、ユーザデータの送信中に、アンカーキャリア以外の周波数帯域ではそのユーザデータに対応するスケジューリング情報を送信しない、
ことを特徴とする請求項１〜６のいずれか１つに記載の無線通信システム。
【請求項９】
前記基地局側制御手段は、ユーザデータの送信中に、そのユーザデータを送信する周波数帯域ごとに、そのユーザデータに対応するスケジューリング情報を送信し、
前記間欠受信制御手段は、ユーザデータの受信中、ユーザデータを受信している周波数帯域ごとに、前記所定の周期単位で、送信された信号に自端末の識別子に対応するスケジューリング情報が含まれるか否かを確認し、前記アンカーキャリアで送信された信号に自端末の識別子に対応するスケジューリング情報が含まれない場合に、前記間欠受信へ移行し、またアンカーキャリア以外の周波数帯域で送信された信号に自端末の識別子に対応するスケジューリング情報が含まれない場合は、その周波数帯域の受信処理を休止する、
ことを特徴とする請求項５に記載の無線通信システム。
【請求項１０】
前記基地局側制御手段は、ユーザデータの送信中に、そのユーザデータを送信している周波数帯域のうち、ユーザデータの送信を停止する周波数帯域を送信停止周波数帯域として選択し、前記送信停止周波数帯域でユーザデータの送信を停止し、また、前記送信停止周波数帯域でのスケジューリング情報の送信を停止する、
ことを特徴とする請求項９に記載の無線通信システム。
【請求項１１】
使用可能な複数の周波数帯域である使用帯域群のうち１つの周波数帯域をアンカーキャリアとし、前記アンカーキャリアで、所定の時間間隔ごとの一定期間の受信である間欠受信を行なう無線端末と、自装置に接続する前記無線端末に対して周波数帯域を割り当て、また前記間欠受信を開始する開始タイミングと前記所定の時間間隔と前記一定期間とを間欠受信パラメータとして前記無線端末に通知する基地局と、で構成される無線通信システムにおける前記基地局であって、
前記無線端末宛のユーザデータがある場合に、そのユーザデータを送信するための周波数帯域を前記使用帯域群のうちから割り当て、その無線端末の識別子を含む割り当て結果をスケジューリング情報として生成する基地局側制御手段と、
前記スケジューリング情報に対応する無線端末の前記所定の時間間隔および前記一定期間に基づいて、前記スケジューリング情報を前記アンカーキャリアで前記無線端末へ送信する間欠送信制御手段と、
を備え、
前記基地局側制御手段は、前記スケジューリング情報の送信タイミング以降に前記使用帯域群のうち前記アンカーキャリア以外の前記送信周波数帯域でそのスケジューリング情報に対応するユーザデータをそのユーザデータの宛先の前記無線端末へ送信する、
ことを特徴とする基地局。
【請求項１２】
使用可能な複数の周波数帯域である使用帯域群のうち１つの周波数帯域をアンカーキャリアとし、前記アンカーキャリアで、所定の時間間隔ごとの一定期間の受信である間欠受信を行なう無線端末と、自装置に接続する前記無線端末に対して周波数帯域を割り当て、また前記間欠受信を開始する開始タイミングと前記所定の時間間隔と前記一定期間とを間欠受信パラメータとして前記無線端末に通知する基地局と、で構成される無線通信システムにおける前記無線端末であって、
前記間欠受信パラメータに基づいて前記開始タイミングに前記間欠受信へ移行するとともに前記アンカーキャリア以外の周波数帯域の受信処理を休止し、前記基地局から前記アンカーキャリアで送信される信号に自端末の識別子に対応するスケジューリング情報が含まれる場合に、前記アンカーキャリアでの受信を前記間欠受信から常時受信に切り替えるとともに前記アンカーキャリア以外の前記使用帯域群の周波数帯域の受信処理を起動する間欠受信制御手段、
を備える、
ことを特徴とする無線端末。
【発明の詳細な説明】
【技術分野】
【０００１】
本発明は、複数の周波数帯域を同時に使用する無線端末を備える無線通信システムおよびその無線通信システムを構成する基地局および無線端末に関する。
【背景技術】
【０００２】
３ＧＰＰ（3rd  Generation  Partnership  Project）のＬＴＥ（Long  Term  Evolution）では、無線リソースの有効活用と無線端末の消費電力の低減のため、無線端末は、基地局に接続した状態でも間欠受信（ＤＲＸ：Ｄｉｓｃｏｎｔｉｎｕｏｕｓ  Ｒｅｃｅｐｔｉｏｎ）を行っている。
【０００３】
たとえば、インターネットアクセスの場合、ユーザはダウンロードしたウェブページを見てから次のページをダウンロードするまでに時間が空くことがあるためである。そのため、従来の基地局は、無線リンクの状態に応じてあらかじめ無線端末の間欠受信パターンを決定し、無線端末に通知する。この際、無線リンクの状態が悪い無線端末は、無線リンクの状態が良い無線端末よりも起動時間が長くなるように間欠受信パターンを決定する。無線リンクの状態が悪い無線端末は無線リンクの状態が良い無線端末よりもデータの受信に失敗する可能性が高いが、無線リンクの状態が悪い無線端末の起動時間が長くすることにより、受信に失敗した場合でも再送によりデータを受信できるようにしている（たとえば、下記特許文献１参照）。
【０００４】
また、３ＧＰＰで標準化が進められているＬＴＥ  Ａｄｖａｎｃｅｄでは、無線端末が複数の周波数帯域を同時に使用することにより、最大で１Ｇビット／秒のピーク速度を実現することを目指している（下記非特許文献１参照）。ＬＴＥ  Ａｄｖａｎｃｅｄでは、基地局が周波数帯域をコンポーネントキャリアと呼ばれる単位で無線端末に割り当てる。無線端末は、間欠受信状態では１つのコンポーネントキャリアのみを一定間隔で起動して基地局からの制御信号に自端末宛データがあるかどうかを確認する。この間、他のコンポーネントキャリアはスリープとする。そして、制御信号に自端末宛データがある場合に、無線端末は基地局からの指示に従ってスリープを解除し、データの受信を行う。
【先行技術文献】
【特許文献】
【０００５】
【特許文献１】国際公開第０８／０９６６６０号
【非特許文献】
【０００６】
【非特許文献１】３ＧＰＰ  ＴＳＧ−ＲＡＮ  ＷＧ２  ＃６６会合寄書  Ｒ２-０９２９９２，Ｍａｙ  ２００９
【発明の概要】
【発明が解決しようとする課題】
【０００７】
しかしながら、上記特許文献１のような従来の間欠受信の技術によれば、無線端末が複数の周波数帯域を同時に使用することを想定していないため、無線端末に対して１つの間欠受信周期しか設定することができない。そのため、無線端末はすべての周波数帯域を同じ間欠受信周期で起動することになり、無線端末の電力を無駄に消費する、という問題点があった。
【０００８】
また、上記非特許文献１の技術では、無線端末が複数の周波数帯域を同時に使用することを、想定しているが、基地局が制御信号を用いてシグナリングにより無線端末に対してスリープしている他のコンポーネントキャリアを起動するよう指示し、無線端末は指示に基づいて他のコンポーネントキャリアを起動する。そのため、無線端末は、他のコンポーネントキャリアを起動するまでの間に基地局からデータが送信されると、そのデータ受信に失敗し再送が発生し無線リソースを浪費する、また再送が生じない場合でもシグナリングにより無線リソースを消費する、という問題があった。
【０００９】
本発明は、上記に鑑みてなされたものであって、無線端末の消費電力を低減し、無線リソースの無駄な消費を回避することができる無線通信システム、基地局および無線端末を得ることを目的とする。
【課題を解決するための手段】
【００１０】
上述した課題を解決し、目的を達成するために、本発明は、使用可能な複数の周波数帯域である使用帯域群のうち１つの周波数帯域をアンカーキャリアとし、前記アンカーキャリアで、所定の時間間隔ごとの一定期間の受信である間欠受信を行なう無線端末と、自装置に接続する前記無線端末に対して周波数帯域を割り当て、また前記間欠受信を開始する開始タイミングと前記所定の時間間隔と前記一定期間とを間欠受信パラメータとして前記無線端末に通知する基地局と、で構成される無線通信システムであって、前記基地局は、前記無線端末宛のユーザデータがある場合に、そのユーザデータを送信するための周波数帯域を前記使用帯域群のうちから割り当て、その無線端末の識別子を含む割り当て結果をスケジューリング情報として生成する基地局側制御手段と、前記スケジューリング情報に対応する無線端末の前記所定の時間間隔および前記一定期間前記に基づいて、前記スケジューリング情報を前記アンカーキャリアで前記無線端末へ送信する間欠送信制御手段と、を備え、前記基地局側制御手段は、前記スケジューリング情報の送信タイミング以降に前記使用帯域群のうち前記アンカーキャリア以外の周波数帯域でそのスケジューリング情報に対応するユーザデータをそのユーザデータの宛先の前記無線端末へ送信し、前記無線端末は、前記間欠受信パラメータに基づいて前記開始タイミングに前記間欠受信へ移行するとともに前記アンカーキャリア以外の周波数帯域の受信処理を休止し、前記アンカーキャリアで送信される信号に自端末の識別子に対応するスケジューリング情報が含まれる場合に、前記アンカーキャリアでの受信を前記間欠受信から常時受信に切り替えるとともに前記アンカーキャリア以外の前記使用帯域群の周波数帯域の受信処理を起動する間欠受信制御手段、を備える、ことを特徴とする。
【発明の効果】
【００１１】
本発明によれば、無線端末は、基地局からの通知に基づいて１つの周波数帯域を間欠受信し、他の周波数帯域の受信を休止状態とし、基地局が、無線端末宛データがある場合、そのデータに対するスケジューリング情報を格納した制御信号を無線端末が間欠受信している制御チャネルで送信し、送信後にスケジューリング情報を送信した周波数帯域と他の周波数帯域を用いて無線端末宛データを送信し、無線端末は間欠受信した制御チャネルで送信された制御信号に自端末宛データのスケジューリング情報がある場合に、休止していた周波数帯の受信を起動するようにしたので、無線端末の消費電力を低減し、無線リソースの無駄な消費を回避し、また、オーバヘッドを削減することができる、という効果を奏する。
【図面の簡単な説明】
【００１２】
【図１】図１は、本発明にかかる基地局および無線端末を備える無線通信システムの構成例を示す図である。
【図２】図２は、基地局から送信する下り方向の無線フレームの構成例を示す図である。
【図３】図３は、基地局の機能構成例を示す図である。
【図４】図４は、無線端末の機能構成例を示す図である。
【図５】図５は、基地局から無線端末への送信タイミングの一例を示す図である。
【図６】図６は、無線端末での基地局から送信されたデータの受信タイミングの一例を示す図である。
【図７】図７は、実施の形態２の基地局の無線端末への送信タイミングの一例を示す図である。
【図８】図８は、実施の形態２の無線端末での基地局から送信されたデータの受信タイミングの一例を示す図である。
【図９】図９は、実施の形態３の基地局の無線端末への送信タイミングの一例を示す図である。
【図１０】図１０は、実施の形態３の無線端末での基地局から送信されたデータの受信タイミングの一例を示す図である。
【図１１】図１１は、実施の形態４の基地局の無線端末への送信タイミングの一例を示す図である。
【図１２】図１２は、実施の形態４の無線端末での基地局から送信されたデータの受信タイミングの一例を示す図である。
【図１３】図１３は、実施の形態５の基地局の無線端末への送信タイミングの一例を示す図である。
【図１４】図１４は、実施の形態５の無線端末での基地局から送信されたデータの受信タイミングの一例を示す図である。
【発明を実施するための形態】
【００１３】
以下に、本発明にかかる無線通信システム、基地局および無線端末の実施の形態を図面に基づいて詳細に説明する。なお、この実施の形態によりこの発明が限定されるものではない。
【００１４】
実施の形態１．
図１は、本発明にかかる基地局および無線端末を備える実施の形態１の無線通信システム（移動体通信システム）の構成例を示す図である。本実施の形態の無線通信システムは、ＬＴＥ  Ａｄｖａｎｃｅｄに対応したシステムである。図１に示すように、本実施の形態の無線通信システムは、基地局１−１，１−２と、無線端末２−１〜２−６で構成される。セル３−１は、基地局１−１と無線通信可能な範囲を示しており、セル３−２は、基地局１−２と無線通信可能な範囲を示している。無線端末２−１〜２−３は、セル３−１内に存在し、無線端末２−４〜２−６は、セル３−２内に存在するとする。
【００１５】
なお、図１は一例であり、基地局および無線端末の数は、図１に示した数に限らず、それぞれ何台で構成してもよい。また、各基地局１−１，１−２が構成するセル３−１，３−２に存在する端末の数も、３台に限らず何台としてもよい。
【００１６】
基地局１−１，１−２は、それぞれ収容している（自身が無線接続している）無線端末との間で、ユーザデータをＰＤＳＣＨ（Ｐｈｙｓｉｃａｌ  Ｄｏｗｎｌｉｎｋ  Ｄａｔａ  Ｓｈａｒｅｄ  ＣＨａｎｎｅｌ）やＰＵＳＣＨ（Ｐｈｙｓｉｃａｌ  Ｕｐｌｉｎｋ  Ｄａｔａ  Ｓｈａｒｅｄ  ＣＨａｎｎｅｌ）の物理チャネルで伝送する。なお、ユーザデータには、上位プロトコルの制御情報も含む。
【００１７】
基地局１−１，１−２は、制御部１３の備えるスケジューラとしての機能により、自身が収容している無線端末との通信にＰＤＳＣＨやＰＵＳＣＨを割り当てる。そして基地局は、その割り当て結果をスケジューリング情報として、自身が収容する無線端末へ制御情報などを送信するための制御チャネルであるＰＤＣＣＨ（Ｐｈｙｓｉｃａｌ  Ｄｏｗｎｌｉｎｋ  Ｃｏｎｔｒｏｌ  ＣＨａｎｎｅｌ）で通知する。基地局１−１，１−２がＰＤＣＣＨで送信するデータは自身が構成するセル内のすべての無線端末が受信可能である。ＰＤＣＣＨで送信するデータ（以下、ＰＤＣＣＨデータという）には、スケジューラによる割り当て情報の他、変調法、符号化率等が格納されている。無線端末２−１〜２−６はＰＤＣＣＨデータに自端末宛データのスケジューリング情報があれば、ＰＤＳＣＨでデータを受信する。
【００１８】
図２は、基地局１−１，１−２から送信する下り方向の無線フレームの構成例を示す図である。図２に示す下り方向の無線フレーム（下り無線フレーム）は、１０個のサブフレームで構成されている。各サブフレームは、ＰＤＣＣＨデータを格納するＰＤＣＣＨ部（ＰＤＣＣＨ）４と、ＰＤＳＣＨで送信するデータ（以下、ＰＤＳＣＨデータという）を格納するＰＤＳＣＨ部（ＰＤＳＣＨ）５と、で構成される。また、各サブフレームは、１４シンボルで構成され、ＰＤＣＣＨ部４は、先頭１〜３シンボルであり、残りの１１シンボルがＰＤＳＣＨ部５である。
【００１９】
図３は本実施の形態の基地局１−１の機能構成例を示す図である。図３に示すように本実施の形態の基地局１−１は、アンテナ１１，受信信号処理部１２，制御部１３，送信信号処理部１４，間欠送信制御部１５で構成される。基地局１−２も基地局１−１と同様の構成を有することとする。
【００２０】
基地局１−１では、無線端末２−１〜２−３からの信号をアンテナ１１が受信する。受信信号処理部１２は、アンテナ１１で受信した受信信号に対して復調、復号処理を行い、処理後の受信信号を制御部１３にデータを渡す。制御部１３は、受け取った受信信号に対して必要に応じてプロトコル処理を行い、アプリケーションや上位ネットワーク装置へデータを渡す。
【００２１】
また、基地局１−１では、制御部１３は、アプリケーションや上位ネットワーク装置から受け取った送信データ、または制御部１３のプロトコル処理で生成した送信データを送信信号処理部１４に渡す。送信信号処理部１４は、受け取った送信データに対して符号、変調処理を行い、処理後の送信データをアンテナ１１から無線端末２−１〜２−３へ送信する。
【００２２】
また、制御部１３は、各無線端末２−１〜２−３に対して間欠受信周期のパラメータを決定し、無線端末２−１〜２−３へ送信信号処理部１４およびアンテナ１１経由で通知する。無線端末２−１〜２−３に通知する間欠受信周期のパラメータとしては、間欠受信周期のほか、無線端末２−１〜２−３が間欠受信状態に移行するタイミングや間欠受信中の起動時間の長さ等も含む。基地局１−１では、間欠受信中の無線端末２−１〜２−３へデータを送信する場合は、間欠送信制御部１５が、制御部１３が決定した当該無線端末の間欠受信周期のパラメータに基づいて、その無線端末の起動にあわせた送信タイミングを計算し、計算した送信タイミングに基づいて送信信号処理部１４およびアンテナ１１を経由してデータを送信する。
【００２３】
また、無線端末２−１〜２−３の各々が同時に使用可能なコンポーネントキャリアや無線端末が間欠受信状態で起動するコンポーネントキャリアについても、基地局１−１が各無線端末２−１〜２−３へあらかじめ通知する。ここで、無線端末１−１が間欠受信状態で起動するコンポーネントキャリアをアンカーキャリアと呼ぶこととする。基地局１−１は、アンカーキャリアを、コンポーネントキャリアの無線品質、無線端末２−１〜２−３からの要求、基地局１−１でのキャリアの負荷状況等を考慮して決定し、決定したアンカーキャリアをデータ通信の前にあらかじめ各無線端末２−１〜２−３へ通知する。通知するタイミングは、たとえば、基地局１−１と無線端末２−１〜２−３とのリンク設定時やリンク変更時とする。
【００２４】
図４は本実施の形態の無線端末２−１の機能構成例を示す図である。無線端末２−２〜２−６も無線端末２−１と同様の構成とする。図４に示すように、無線端末２−１は、アンテナ２１，受信信号処理部２２，制御部２３，送信信号処理部２４，間欠受信制御部２５で構成される。
【００２５】
無線端末２−１では、基地局１−１からの信号をアンテナ２１が受信する。受信信号処理部２２は、アンテナ２１が受信した受信信号に対して復調、復号処理を行い、処理後の受信信号を制御部２３に渡す。制御部２３は、受け取った受信信号に対して必要に応じてプロトコル処理等を行い、処理後の受信信号をアプリケーションへデータを渡す。
【００２６】
また、無線端末２−１では、制御部２３は、アプリケーションから受け取った送信データまたは制御部２３のプロトコル処理で生成した送信データを送信信号処理部２４に渡す。送信信号処理部２４は、受け取った送信データに対して符号、変調処理を行い、処理後の送信データをアンテナ２１から基地局１−１へ送信する。
【００２７】
無線端末２−１では、制御部２３が、基地局１−１から間欠受信周期のパラメータをアンテナ２１および受信信号処理部２２経由で受信すると、間欠受信制御部２５に間欠受信周期のパラメータを通知する。間欠受信制御部２５は、間欠受信周期のパラメータに基づいて受信信号処理部２２，制御部２３等のうち、アンカーキャリア以外のコンポーネントキャリアに関する受信信号処理を行う部分をスリープとする（休止状態とする）。
【００２８】
また、間欠受信制御部２５は、アンカーキャリアの受信信号処理を行う部分は基地局１−１からの間欠受信周期のパラメータに基づいて所定の間欠受信周期で一定期間起動し、ＰＤＣＣＨデータを受信できるようにする。なお、受信信号処理部２２だけでなく、アンカーキャリアの受信信号を処理するのに不要な他のモジュールもスリープとすることにより、無線端末２−１の消費電力の低減を図る。以降の説明では、コンポーネントキャリアＣＣ＃ｘ（ｘはコンポーネントキャリアの識別番号）に関する受信信号処理を行う部分の起動，スリープをそれぞれコンポーネントキャリアＣＣ＃ｘの起動，スリープと表現する。なお、以下、コンポーネントキャリアＣＣ＃ｘに関する受信信号処理をスリープすることを、ＣＣ＃ｘをスリープすると表現し、またコンポーネントキャリアＣＣ＃ｘに関する受信信号処理を起動することを、ＣＣ＃ｘを起動すると表現する。
【００２９】
なお、上述の図３を用いた説明では、基地局１−１がアンカーキャリアを決定して無線端末２−１〜２−３に通知することとしたが、これに限らず、無線端末２−１〜２−３がコンポーネントキャリアの無線品質等を考慮してアンカーキャリアを決定し、基地局１−１へ通知してもよい。
【００３０】
つぎに、本実施の形態の動作を説明する。図５は、基地局１−１から無線端末２−１への送信タイミングの一例を示す図である。また、図６は、無線端末２−１での基地局１−１から送信されたデータの受信タイミングの一例を示す図である。
【００３１】
図５，６では、基地局１−１が無線端末２−１にＣＣ＃１〜ＣＣ＃４のコンポーネントキャリアを割り当て、また、アンカーキャリアをＣＣ＃１とする場合の動作の例を示している。まず、無線端末２−１は、基地局１−１から通知された間欠受信周期のパラメータに基づいて間欠受信状態に移行しているとし、アンカーキャリアＣＣ＃１を間欠的に起動してＰＤＣＣＨデータを受信し、ＣＣ＃２〜ＣＣ＃４をスリープ状態とする。
【００３２】
図５に示すように、基地局１−１は、無線端末２−１のＣＣ＃１の起動にあわせ、サブフレーム＃ｉ（ｉは正の整数）のＣＣ＃１のＰＤＣＣＨに無線端末２−１宛データのスケジューリング情報を格納し、サブフレーム＃ｉのＣＣ＃１のＰＤＳＣＨに無線端末２−１宛データを格納して送信する。具体的には、基地局１−１では、制御部１３が、自身が収容している無線端末との通信にＰＤＳＣＨやＰＵＳＣＨを割り当てた結果であるが、この場合は無線端末２−１宛データに対しての割り当てを行なっているので無線端末２−１宛データのスケジューリング情報をＰＤＣＣＨで送信する。スケジューリング情報には対応する無線端末の識別子を含むこととする。
【００３３】
基地局１−１は、サブフレーム＃ｉのＣＣ＃２〜ＣＣ＃４のＰＤＳＣＨでは無線端末２−１宛データを送信せず、次のサブフレーム＃ｉ＋１から無線端末２−１宛の送信データを送信しはじめる。そして、基地局１−１は、サブフレーム＃ｉ＋１から無線端末２−１宛の送信データがなくなるまで、すなわち、サブフレーム＃ｉ＋ｋ（ｋは正の整数）までは、ＣＣ＃１〜ＣＣ＃４のＰＤＣＣＨに無線端末２−１宛データのスケジューリング情報を格納し、ＰＤＳＣＨに無線端末２−１宛データを格納して送信する。この例では、サブフレーム＃ｉ＋ｋで基地局１−１から無線端末２−１へのデータ送信が完了するとする。
【００３４】
なお、図５では、無線フレームの境目を示していないが、複数の無線フレームに渡って上記の動作を行なってもよく、その場合、上記のサブフレーム＃ｉ等のサブフレームの番号を無線フレーム内の番号ではなく、連続する番号として考えればよい。
【００３５】
一方、図６に示すように、無線端末２−１では、間欠受信制御部２５が、２サブフレームごとに間欠的に受信するよう制御していることとし、サブフレーム＃ｉ−４，サブフレーム＃ｉ−２でＣＣ＃１を間欠的に起動してＰＤＣＣＨを受信したとする。間欠受信制御部２５は、サブフレーム＃ｉ−４，サブフレーム＃ｉ−２で、ＰＤＣＣＨに無線端末２−１宛データのスケジューリング情報があるかどうか確認するが、ＰＤＣＣＨに無線端末２−１宛データのスケジューリング情報が含まれていないため、ＣＣ＃１をスリープとする。
【００３６】
そして、間欠受信制御部２５は、サブフレーム＃ｉでＣＣ＃１を起動してＰＤＣＣＨを受信するが、サブフレーム＃ｉではＰＤＣＣＨに無線端末２−１宛データのスケジューリング情報が含まれているため、ＣＣ＃２〜ＣＣ＃４を起動するとともにアンカーキャリアを間欠受信から通常受信（常時受信）状態へ切り替える。そして、間欠受信制御部２５は、ＣＣ＃１のＰＤＳＣＨで無線端末２−１宛データを受信する。そして、次のサブフレーム＃ｉ＋１では、ＣＣ＃１〜ＣＣ＃４でＰＤＣＣＨを受信し、コンポーネントキャリアごとに無線端末２−１宛データのスケジューリング情報があるか確認し、スケジューリング情報があるコンポーネントキャリアでＰＤＳＣＨを受信する。以降、同様に、無線端末２−１は、ＰＤＣＣＨに無線端末２−１宛データのスケジューリング情報が含まれないサブフレームまで、ＣＣ＃１〜ＣＣ＃４でＰＤＣＣＨとＰＤＳＣＨを連続して受信する。
【００３７】
間欠受信制御部２５は、サブフレーム＃ｉ＋ｋ＋１のＰＤＣＣＨを受信すると、サブフレーム＃ｉ＋ｋ＋１のＰＤＣＣＨでは無線端末２−１宛データのスケジューリング情報がないため、ＣＣ＃２〜ＣＣ＃４をスリープ状態とし、ＣＣ＃１を間欠受信状態とする。
【００３８】
以上のように、本実施の形態では、基地局１−１は、無線端末２−１宛データのスケジューリング情報を格納したＰＤＣＣＨを送信した次のサブフレームからアンカーキャリア以外のコンポーネントキャリアでＰＤＣＣＨとＰＤＳＣＨを送信し、無線端末２−１が、ＰＤＣＣＨに基づいて自端末宛データのスケジューリング情報がある場合に、スリープしていたコンポーネントキャリアを起動するようにした。
【００３９】
そのため、無線端末２−１がアンカーキャリア以外のコンポーネントキャリアを確実に起動した後に基地局２−１が無線端末２−１宛のデータを送信するようことができる。したがって、使用しないコンポーネントキャリアをスリープさせることにより無線端末の消費電力を低減しつつ、無線端末２−１が受信に失敗して再送が発生する頻度が低減し、無線リソースを無駄に消費することを回避することができる。また、従来技術のように、スリープからコンポーネントキャリアを起動する際に、シグナリングを必要としないため、無線リソースを有効に利用することができる。
【００４０】
実施の形態２．
図７は、本発明にかかる実施の形態２の基地局の無線端末への送信タイミングの一例を示す図である。図８は、本実施の形態の無線端末での基地局から送信されたデータの受信タイミングの一例を示す図である。本実施の形態の無線通信システムの構成は、図１に示した実施の形態１の無線通信システムの構成と同様とする。また、本実施の形態の基地局１−１，１−２の構成は実施の形態１の基地局１−１，１−２と同様の構成とし、本実施の形態の無線端末２−１〜２−６の構成は、実施の形態１の無線端末２−１〜２−６の構成と同様とする。以下、実施の形態１と異なる点について説明する。
【００４１】
実施の形態１では、間欠受信状態の無線端末宛にデータを送信するときに、基地局がアンカーキャリアで無線端末宛データのスケジューリング情報を格納したＰＤＣＣＨを送信した次のサブフレームから、アンカーキャリアおよびアンカーキャリア以外のコンポーネントキャリアでＰＤＣＣＨとＰＤＳＣＨを送信するようにしたが、本実施の形態では、アンカーキャリア以外のコンポーネントキャリアではＰＤＳＣＨのみを送信する。
【００４２】
図７および図８を用いて本実施の形態の動作を説明する。ここでは、実施の形態１と同様に、基地局１−１は無線端末２−１にＣＣ＃１〜ＣＣ＃４のコンポーネントキャリアを割り当てることとし、またアンカーキャリアをＣＣ＃１とする。まず、無線端末２−１は、基地局１−１から通知された間欠受信周期のパラメータに基づいて間欠受信状態に移行しているとし、アンカーキャリアＣＣ＃１を間欠的に起動してＰＤＣＣＨデータを受信し、ＣＣ＃２〜ＣＣ＃４をスリープ状態とする。
【００４３】
図７に示すように、基地局１−１は、無線端末２−１のＣＣ＃１の起動にあわせ、サブフレーム＃ｉのＣＣ＃１のＰＤＣＣＨに無線端末２−１宛データのスケジューリング情報を格納し、またサブフレーム＃ｉのＣＣ＃１のＰＤＳＣＨに無線端末２−１宛データを格納して送信する。サブフレーム＃ｉのＣＣ＃２〜ＣＣ＃４のＰＤＳＣＨでは無線端末２−１宛データを送信しない。
【００４４】
基地局１−１は、次のサブフレーム＃ｉ＋１では、ＣＣ＃１のＰＤＣＣＨに無線端末２−１宛データのスケジューリング情報を格納し、ＣＣ＃１〜ＣＣ＃４のＰＤＳＣＨに無線端末２−１宛データを格納して送信する（ＣＣ＃２〜ＣＣ＃４ではＰＤＣＣＨに無線端末２−１宛データのスケジューリング情報を格納しない）。以降、同様に、基地局１−１は、無線端末２−１宛の送信データがなくなるまで、すなわち、サブフレーム＃ｉ＋ｋまで、ＣＣ＃１のＰＤＣＣＨに無線端末２−１宛データのスケジューリング情報を格納し、ＣＣ＃１〜ＣＣ＃４のＰＤＳＣＨに無線端末２−１宛データを格納して送信する。サブフレーム＃ｉ＋ｋで基地局１−１から無線端末２−１へのデータ送信が完了するとする。
【００４５】
一方、無線端末２−１は、図８に示すように、２サブフレームごとに間欠受信を行ない、サブフレーム＃ｉでＣＣ＃１を起動して、ＰＤＣＣＨを受信すると、ＰＤＣＣＨに無線端末２−１宛データのスケジューリング情報が含まれるため、ＣＣ＃１のＰＤＳＣＨで無線端末２−１宛データを受信し、ＣＣ＃２〜ＣＣ＃４を起動する。
【００４６】
また、無線端末２−１は、次のサブフレーム＃ｉ＋１ではＣＣ＃１でＰＤＣＣＨを受信し、無線端末２−１宛データのスケジューリング情報があるか確認し、スケジューリング情報があれば、ＣＣ＃１〜ＣＣ＃４のＰＤＳＣＨを受信する。以降、無線端末２−１は、サブフレーム＃ｉ＋ｋまで、同様に、無線端末２−１宛データのスケジューリング情報があるか確認し、スケジューリング情報があれば、ＣＣ＃１〜ＣＣ＃４のＰＤＳＣＨを受信する。無線端末２−１は、サブフレーム＃ｉ＋ｋ＋１のＣＣ＃１のＰＤＣＣＨでは無線端末２−１宛データのスケジューリング情報がないため、ＣＣ＃２〜ＣＣ＃４をスリープとし、ＣＣ＃１は間欠受信状態に戻る。以上述べた以外の本実施の形態の動作は実施の形態１と同様である。
【００４７】
以上のように、本実施の形態では、基地局１−１が、アンカーキャリアで無線端末宛データのスケジューリング情報を格納したＰＤＣＣＨを送信した次のサブフレームから、アンカーキャリア以外のコンポーネントキャリアではＰＤＳＣＨのみを送信し、無線端末２−１は、アンカーキャリアのＰＤＣＣＨに自端末宛データのスケジューリング情報が含まれる場合に、アンカーキャリア以外のコンポーネントキャリアを起動し、以降のサブフレームではＣ＃１〜Ｃ＃４のＰＤＳＣＨを受信するようにした。そのため、実施の形態１と同様の効果が得られるとともに、実施の形態１に比べ、スケジューリング情報の送受信処理の頻度を低減することができる。
【００４８】
実施の形態３．
図９は、本発明にかかる実施の形態３の基地局の無線端末への送信タイミングの一例を示す図である。図１０は、本実施の形態の無線端末での基地局から送信されたデータの受信タイミングの一例を示す図である。本実施の形態の無線通信システムの構成は、図１に示した実施の形態１の無線通信システムの構成と同様とする。また、本実施の形態の基地局１−１，１−２の構成は実施の形態１の基地局１−１，１−２と同様の構成とし、本実施の形態の無線端末２−１〜２−６の構成は、実施の形態１の無線端末２−１〜２−６の構成と同様とする。以下、実施の形態１と異なる点について説明する。
【００４９】
実施の形態１および２では、間欠受信状態の無線端末宛にデータを送信するときに、基地局がアンカーキャリアで無線端末宛データのスケジューリング情報を格納したＰＤＣＣＨを送信した次のサブフレームから、アンカーキャリアとアンカーキャリア以外のコンポーネントキャリアでＰＤＳＣＨを連続して送信するようにしたが、本実施の形態では、ＰＤＣＣＨとＰＤＳＣＨの送信を継続するコンポーネントキャリアとしてアンカーキャリア以外のコンポーネントキャリアを選択する例を説明する。
【００５０】
図９，１０を用いて本実施の形態の動作を説明する。ここでは、実施の形態１と同様に、基地局１−１は無線端末２−１にＣＣ＃１〜ＣＣ＃４のコンポーネントキャリアを割り当てることとし、またアンカーキャリアをＣＣ＃１とする。まず、無線端末２−１は、基地局１−１から通知された間欠受信周期のパラメータに基づいて間欠受信状態に移行しているとし、アンカーキャリアＣＣ＃１を間欠的に起動してＰＤＣＣＨデータを受信し、ＣＣ＃２〜ＣＣ＃４をスリープ状態としているとする。
【００５１】
基地局１−１は、図９に示すように、無線端末２−１のＣＣ＃１の起動にあわせ、サブフレーム＃ｉのＣＣ＃１のＰＤＣＣＨに無線端末２−１宛データのスケジューリング情報を格納し、サブフレーム＃ｉのＣＣ＃１のＰＤＳＣＨに無線端末２−１宛データを格納して送信する。サブフレーム＃ｉでは、ＣＣ＃２〜ＣＣ＃４のＰＤＳＣＨでは無線端末２−１宛データを送信しない。
【００５２】
基地局１−１は、次のサブフレーム＃ｉ＋１では、ＣＣ＃１のＰＤＣＣＨに無線端末２−１宛データのスケジューリング情報を格納し、ＰＤＳＣＨに無線端末２−１宛データを格納して送信する。以降、基地局１−１は、無線端末２−１宛の送信データがなくなるまで、すなわち、サブフレーム＃ｉ＋ｋまでは、同様に、ＣＣ＃１のＰＤＣＣＨに無線端末２−１宛データのスケジューリング情報を格納し、ＰＤＳＣＨに無線端末２−１宛データを格納して送信する。
【００５３】
基地局１−１は、ＣＣ＃２〜ＣＣ＃４については必要に応じて送信を継続するコンポーネントキャリアを選択して、選択したコンポーネントキャリアで無線端末２−１宛データのスケジューリング情報を含むＰＤＣＣＨと、無線端末２−１宛てデータが格納されているＰＤＳＣＨと、を送信する。送信を継続するコンポーネントキャリアは、たとえば、送信データ全体のトラヒック量や、コンポーネントキャリアの容量、コンポーネントキャリアの無線品質等を考慮して基地局１−１の制御部１３が決定する。
【００５４】
たとえば、図９に示す例では、ＣＣ＃２はサブフレーム＃ｉ＋１からサブフレーム＃ｉ＋ｋまで送信を継続するコンポーネントキャリアとして選択され、ＣＣ＃３はサブフレーム＃ｉ＋１からサブフレーム＃ｉ＋２まで送信を継続するコンポーネントキャリアとして選択され、ＣＣ＃４はサブフレーム＃ｉ＋１のみで送信を継続するコンポーネントキャリアとして選択されている。この例では、サブフレーム＃ｉ＋ｋで基地局１−１から無線端末２−１へのデータ送信が完了するとする。
【００５５】
一方、無線端末２−１は、図１０に示すように、２サブフレームごとに間欠受信を行ない、サブフレーム＃ｉでＣＣ＃１を起動して、ＰＤＣＣＨを受信すると、ＰＤＣＣＨに無線端末２−１宛データのスケジューリング情報があるため、ＣＣ＃１のＰＤＳＣＨで無線端末２−１宛データを受信し、ＣＣ＃２〜ＣＣ＃４を起動する。
【００５６】
無線端末２−１は、次のサブフレーム＃ｉ＋１では、ＣＣ＃１〜ＣＣ＃４についてＰＤＣＣＨを受信し、無線端末２−１宛データのスケジューリング情報があるか確認し、スケジューリング情報がある場合、そのコンポーネントキャリアでＰＤＳＣＨを受信する。以降、同様に、サブフレーム＃ｉ＋ｋまで、ＣＣ＃１〜ＣＣ＃４についてはＰＤＣＣＨを受信し、無線端末２−１宛データのスケジューリング情報があるか確認し、スケジューリング情報がある場合、そのコンポーネントキャリアでＰＤＳＣＨを受信する。
【００５７】
図１０に示す例では、無線端末２−１は、ＣＣ＃１ではサブフレーム＃ｉ＋ｋ＋１のＰＤＣＣＨにスケジューリング情報がないため、以降ＣＣ＃１を間欠受信状態とする。また、無線端末２−１は、ＣＣ＃２についてはサブフレーム＃ｉ＋ｋ＋１のＰＤＣＣＨにスケジューリング情報がないため、以降ＣＣ＃２をスリープ状態とする。また、ＣＣ＃３についてはサブフレーム＃ｉ＋３のＰＤＣＣＨにスケジューリング情報がないため、以降ＣＣ＃３をスリープ状態とする。また、ＣＣ＃４についてはサブフレーム＃ｉ＋２のＰＤＣＣＨにスケジューリング情報がないため、以降ＣＣ＃４をスリープ状態とする。以上述べた以外の本実施の形態の動作は、実施の形態１と同様である。
【００５８】
以上のように、本実施の形態では、基地局１−１が、アンカーキャリアで無線端末宛データのスケジューリング情報を格納したＰＤＣＣＨを送信した次のサブフレームから、アンカーキャリア以外の送信を継続するコンポーネントキャリアを選択し、選択したコンポーネントキャリアでＰＤＣＣＨとＰＤＳＣＨを送信する。そして、無線端末２−１は、アンカーキャリアで受信したＰＤＣＣＨに自端末宛のスケジューリング情報が含まれる場合に、アンカーキャリア以外のコンポーネントキャリアを起動し、コンポーネントキャリアごとにＰＤＣＣＨに自端末宛のスケジューリング情報が含まれる場合にそのコンポーネントキャリアでＰＤＳＣＨを受信するようにした。そのため、実施の形態１と同様の効果が得られるともに、使用する周波数を自由に選択することができ無線リソースを有効活用できる。
【００５９】
実施の形態４．
図１１は、本発明にかかる実施の形態４の基地局の無線端末への送信タイミングの一例を示す図である。図１２は、本実施の形態の無線端末での基地局から送信されたデータの受信タイミングの一例を示す図である。本実施の形態の無線通信システムの構成は、図１に示した実施の形態１の無線通信システムの構成と同様とする。また、本実施の形態の基地局１−１，１−２の構成は実施の形態１の基地局１−１，１−２と同様の構成とし、本実施の形態の無線端末２−１〜２−６の構成は、実施の形態１の無線端末２−１〜２−６の構成と同様とする。以下、実施の形態１と異なる点について説明する。
【００６０】
以上の実施の形態１〜３では、間欠受信状態の無線端末宛にデータを送信する際に、基地局１−１はアンカーキャリアで無線端末宛データのスケジューリング情報を格納したＰＤＣＣＨを送信した次のサブフレームから、アンカーキャリア以外のコンポーネントキャリアではＰＤＣＣＨとＰＤＳＣＨを送信するようにした。これに対し、本実施の形態では、アンカーキャリアで無線端末宛データのスケジューリング情報を格納したＰＤＣＣＨを送信したのと同じサブフレームで、アンカーキャリア以外のコンポーネントキャリアでもＰＤＣＣＨとＰＤＳＣＨを送信する。
【００６１】
図１１，１２を用いて本実施の形態の動作を説明する。ここでは、実施の形態１と同様に、基地局１−１は無線端末２−１にＣＣ＃１〜ＣＣ＃４のコンポーネントキャリアを割り当てることとし、またアンカーキャリアをＣＣ＃１とする。まず、無線端末２−１は、基地局１−１から通知された間欠受信周期のパラメータに基づいて間欠受信状態に移行しているとし、アンカーキャリアＣＣ＃１を間欠的に起動してＰＤＣＣＨデータを受信し、ＣＣ＃２〜ＣＣ＃４をスリープ状態としているとする。
【００６２】
基地局１−１は、図１１に示すように、無線端末２−１のＣＣ＃１の起動にあわせ、サブフレーム＃ｉのＣＣ＃１のＰＤＣＣＨに無線端末２−１宛データのスケジューリング情報を格納し、サブフレーム＃ｉのＣＣ＃１のＰＤＳＣＨに無線端末２−１宛データを格納して送信する。サブフレーム＃ｉでは、ＣＣ＃２〜ＣＣ＃４のＰＤＳＣＨに無線端末２−１宛データを格納して送信する。サブフレーム＃ｉ＋１以降の動作は実施の形態１と同じである。
【００６３】
一方、無線端末２−１は、図１２に示すように、２サブフレームごとに間欠受信を行ない、サブフレーム＃ｉでＣＣ＃１を起動して、ＰＤＣＣＨを受信すると、ＰＤＣＣＨに無線端末２−１宛データのスケジューリング情報があるため、ＣＣ＃２〜ＣＣ＃４を起動する。そして、サブフレーム＃ｉで、ＣＣ＃１〜ＣＣ＃４のＰＤＳＣＨで無線端末２−１宛データを受信する。サブフレーム＃ｉ＋１以降の動作は実施の形態１と同じである。以上述べた以外の本実施の形態の動作は、実施の形態１と同様である。
【００６４】
なお、本実施の形態では、実施の形態１と同様に、無線端末２−１宛のデータがある場合に、ＣＣ＃１〜ＣＣ＃４でスケジューリング情報を含むＰＤＣＣＨを送信するようにしたが、実施の形態２と同様に、ＣＣ＃２〜ＣＣ＃４ではＰＤＣＣＨを送信しないようにしてもよい。また、実施の形態３と同様に、ユーザデータの送信中に送信を継続するコンポーネントキャリアを選択し、選択したコンポーネントキャリアでユーザデータを送信するようにしてもよい。
【００６５】
以上のように、基地局１−１が無線端末２−１宛データのスケジューリング情報を格納したＰＤＣＣＨを送信したサブフレームと同じサブフレームで、アンカーキャリア以外のコンポーネントキャリアでもＰＤＳＣＨを送信し、無線端末２−１が、自端末宛データのスケジューリング情報を含むＰＤＣＣＨを受信したサブフレームから、アンカーキャリア以外でもＰＤＳＣＨを受信するようにした。そのため、使用しないコンポーネントキャリアをスリープさせることにより無線端末の消費電力を低減しつつ、シグナリングを必要とせずにスリープを解除することにより従来に比べ無線リソースを有効に活用することができ、また実施の形態１〜３と比較して１サブフレーム早くより広い帯域でのデータ送信を実施することができる。
【００６６】
実施の形態５．
図１３は、本発明にかかる実施の形態５の基地局の無線端末への送信タイミングの一例を示す図である。図１４は、本実施の形態の無線端末での基地局から送信されたデータの受信タイミングの一例を示す図である。本実施の形態の無線通信システムの構成は、図１に示した実施の形態１の無線通信システムの構成と同様とする。また、本実施の形態の基地局１−１，１−２の構成は実施の形態１の基地局１−１，１−２と同様の構成とし、本実施の形態の無線端末２−１〜２−６の構成は、実施の形態１の無線端末２−１〜２−６の構成と同様とする。以下、実施の形態１と異なる点について説明する。
【００６７】
以上の実施の形態１では、間欠受信状態の無線端末宛にデータを送信する際に、基地局は無線端末２−１宛データのスケジューリング情報を格納したＰＤＣＣＨをＣＣ＃１で送信した次のサブフレーム以降では、無線端末２−１に割り当てたすべてのコンポーネントキャリアでＰＤＣＣＨとＰＤＳＣＨを送信するようにした。これに対し、本実施の形態では、割り当てたコンポーネントキャリアのうち一部のコンポーネントキャリアでＰＤＳＣＨを送信する。
【００６８】
図１３，１４を用いて本実施の形態の動作を説明する。ここでは、実施の形態１と同様に、基地局１−１は無線端末２−１にＣＣ＃１〜ＣＣ＃４のコンポーネントキャリアを割り当てることとし、またアンカーキャリアをＣＣ＃１とする。まず、無線端末２−１は、基地局１−１から通知された間欠受信周期のパラメータに基づいて間欠受信状態に移行しているとし、アンカーキャリアＣＣ＃１を間欠的に起動してＰＤＣＣＨデータを受信し、ＣＣ＃２〜ＣＣ＃４をスリープ状態としているとする。
【００６９】
基地局１−１は、図１１に示すように、無線端末２−１のＣＣ＃１の起動にあわせ、サブフレーム＃ｉのＣＣ＃１のＰＤＣＣＨに無線端末２−１宛データのスケジューリング情報を格納し、サブフレーム＃ｉのＣＣ＃１のＰＤＳＣＨに無線端末２−１宛データを格納して送信する。サブフレーム＃ｉでは、ＣＣ＃２〜ＣＣ＃４のＰＤＳＣＨでは無線端末２−１宛データを送信しない。
【００７０】
基地局１−１は、次のサブフレーム＃ｉ＋１では、ＣＣ＃１〜ＣＣ＃３のＰＤＣＣＨに無線端末２−１宛データのスケジューリング情報を格納し、ＣＣ＃１〜ＣＣ＃３のＰＤＳＣＨに無線端末２−１宛データを格納して送信する。以降、同様に、基地局１−１は、無線端末２−１宛の送信データがなくなるまで、すなわち、サブフレーム＃ｉ＋ｋまで、ＣＣ＃１〜ＣＣ＃３のＰＤＣＣＨに無線端末２−１宛データのスケジューリング情報を格納し、ＣＣ＃１〜ＣＣ＃３のＰＤＳＣＨに無線端末２−１宛データを格納して送信する。そして、サブフレーム＃ｉ＋ｋで基地局１−１から無線端末２−１へのデータ送信が完了するとする。
【００７１】
この例では、基地局１−１は、無線端末２−１との通信に割り当てたＣＣ＃１〜ＣＣ＃４のうち、一部のコンポーネントキャリア（ＣＣ１＃１〜ＣＣ＃３）を、データを送信するデータ送信コンポーネントキャリアとして選択し、データ送信コンポーネントキャリアで無線端末２−１宛ての送信データを送信している。基地局１−１は、データ送信コンポーネントキャリアを決定し、決定したデータ送信コンポーネントキャリアを無線端末２−１に通知することとする。この通知のタイミングは、たとえば、基地局１−１と無線端末２−１とのリンク設定時やリンク変更時である。データ送信コンポーネントキャリアの決定は、たとえば、送信データの量などに基づいて行なう。
【００７２】
一方、無線端末２−１は、図１４に示すように、２サブフレームごとに間欠受信を行ない、サブフレーム＃ｉでＣＣ＃１を起動して、ＰＤＣＣＨを受信すると、ＰＤＣＣＨに無線端末２−１宛データのスケジューリング情報があるため、あらかじめ通知されたデータ送信コンポーネントキャリアに基づいてＣＣ＃２，ＣＣ＃３を起動する。次のサブフレーム＃ｉ＋１では、ＣＣ＃１〜ＣＣ＃３でＰＤＣＣＨを受信し、無線端末２−１宛データのスケジューリング情報があるか確認し、スケジューリング情報があれば、そのコンポーネントキャリアでＰＤＳＣＨを受信する。以降、ＰＤＣＣＨに無線端末２−１宛データのスケジューリング情報がないサブフレームまで、無線端末２−１はＰＤＣＣＨとＰＤＳＣＨを連続して受信する。無線端末２−１は、サブフレーム＃ｉ＋ｋ＋１のＰＤＣＣＨでは無線端末２−１宛データのスケジューリング情報がないため、ＣＣ＃２およびＣＣ＃３はスリープ状態とし、ＣＣ＃１を間欠受信状態に戻す。
【００７３】
なお、上記の例ではデータ送信コンポーネントキャリアは、基地局１−１が決定するとしたが、これに限らず、無線端末２−１が決定して基地局１−１へ通知するようにしてもよい。この通知のタイミングは、たとえば、基地局１−１と無線端末２−１とのリンク設定時やリンク変更時である。以上述べた以外の本実施の形態の動作は、実施の形態１と同様である。
【００７４】
なお、本実施の形態では、実施の形態１と同様に、無線端末２−１宛のデータがある場合に、ＣＣ＃１〜ＣＣ＃３でスケジューリング情報を含むＰＤＣＣＨを送信するようにしたが、実施の形態２と同様に、ＣＣ＃２〜ＣＣ＃３ではＰＤＣＣＨを送信しないようにしてもよい。また、実施の形態３と同様に、ユーザデータの送信中にさらに送信を継続するコンポーネントキャリアを選択し、選択したコンポーネントキャリアでユーザデータを送信するようにしてもよい。また、実施の形態４と同様に、スケジューリング情報を送信したサブフレームから、アンカーキャリア以外のコンポーネントキャリアでのユーザデータ送信を開始してもよい。
【００７５】
以上のように、本実施の形態では、基地局１−１はデータ送信コンポーネントキャリアを決定してあらかじめ無線端末２−１へ通知し、無線端末宛データのスケジューリング情報を格納したＰＤＣＣＨを送信した次のサブフレームからデータ送信コンポーネントキャリアで無線端末２−１宛のデータを送信する。そして、無線端末２−１は、スケジューリング情報を格納したＰＤＣＣＨを受信すると、データ送信コンポーネントキャリアを起動し、データ送信コンポーネントキャリアで自端末宛のデータを受信するようにした。そのため、実施の形態１の効果が得られるとともに、起動するコンポーネントキャリアを限定することができるため、実施の形態１に比べ無線リソースをより有効活用し、またより無線端末２−１の消費電力を低減することができる。
【産業上の利用可能性】
【００７６】
以上のように、本発明にかかる無線通信システム、基地局および無線端末は、複数の周波数帯域を同時に使用する無線端末を備える無線通信システムに有用であり、特に、無線端末が間欠受信を行なう無線通信システムに適している。
【符号の説明】
【００７７】
１−１，１−２  基地局
２−１〜２−６  無線端末
３−１，３−２  セル
４  ＰＤＣＣＨ部
５  ＰＤＳＣＨ部
１１，２１  アンテナ
１２，２２  受信信号処理部
１３，２３  制御部
１４，２４  送信信号処理部
１５  間欠送信制御部
２５  間欠受信制御部
【図１】
2011061500.tif 000003
【図２】
2011061500.tif 000004
【図３】
2011061500.tif 000005
【図４】
2011061500.tif 000006
【図５】
2011061500.tif 000007
【図６】
2011061500.tif 000008
【図７】
2011061500.tif 000009
【図８】
2011061500.tif 000010
【図９】
2011061500.tif 000011
【図１０】
2011061500.tif 000012
【図１１】
2011061500.tif 000013
【図１２】
2011061500.tif 000014
【図１３】
2011061500.tif 000015
【図１４】
2011061500.tif 000016